(57)【要約】  音を吸収し、昼光の見かけを与える光音響パネル１００及び照明器具が提供される。光音響パネル１００は、第１の側１１４、第２の側１０４、微細有孔フォイル１１０及び間隔保持構造体１０８を有している。第１の側１１４は音を受け取る。第２の側１０４は、第１の側１１４と反対側であり、光を受け取る。微細有孔フォイル１１０は、サブミリメートル孔部１１２を有しており、光を透過し、第１の側１１４に配されている。サブミリメートル孔部１１２は、空洞部の入口孔部である。間隔保持構造体１０８は、第１の側１１４を第２の側１０４から所定の距離で間隔をあけて配置する。間隔保持構造体１０８は、複数の光透過セル１０６を有している。光透過セル１０６は、光透過チャネル１１８、光出力窓１２２、光入力窓１２０及び壁部１１６を有している。光透過チャネル１１８は、光音響パネル１００の第２の側１０４において受け取られる光の一部を平行光にする。光透過チャネル１１８は、第１の側１１４から第２の側に向かって伸びており、空気で満たされている。光入力窓１２０は、光音響パネル１００の第２の側１０４に配されている。光出力窓１２２の少なくとも一部は、光音響パネルの第１の側１１４に配されている。壁部１１６は、光入力窓１２０と光出力窓１２２の一部との間に介在している。壁部１１６は、光透過チャネル１１８を閉じるものである。壁部１１６の少なくとも一部は、第１の側１１４の法線に対して相対的に大きい光放射角度で青色光の放射を得る所定のスペクトル範囲において反射性又は透過性である。
2015504528.tif 000002
【特許請求の範囲】
【請求項１】
音を吸収し、昼光の見かけを与える光音響パネルであって、
音を受け取る第１の側と、
光を受け取る第２の側であって、前記第１の側と反対側である当該第２の側と、
サブミリメートルの孔部を有し、光を透過し、前記第１の側に配された微細有孔フォイルであって、前記サブミリメートルの孔部は空洞部の入口孔部である当該微細有孔フォイルと、
前記第１の側を前記第２の側から所定の距離で間隔をあけて配置するための間隔保持構造体と
を有し、
前記間隔保持構造体は、複数の光透過セルを有し、前記光透過セルは、
当該光音響パネルの前記第２の側において受け取られる光の一部を平行光にし、前記第１の側から前記第２の側に向かって伸びており、空気で満たされた光透過チャネルと、
当該光音響パネルの前記第２の側に配された光入力窓と、
少なくとも一部が当該光音響パネルの前記第１の側に配された光出力窓と、
前記光入力窓と前記光出力窓の前記一部との間に介在し、前記光透過チャネルを閉じる壁部であって、この壁部の少なくとも一部は、当該光音響パネルの前記第１の側の法線に対して相対的に大きい光放射角度で青色光の放射を得る所定のスペクトル範囲において反射性又は透過性である当該壁部と
を有する、当該光音響パネル。
【請求項２】
サブミリメートルの孔部を有する他の微細有孔フォイルを有し、前記他の微細有孔フォイルは、光を透過し、前記第２の側に配されている、請求項１記載の光音響パネル。
【請求項３】
前記第１の側と前記空洞部を閉じる面との距離は、１から１０センチメートルまでの範囲内にあり、この距離は前記第１の側に垂直なラインに沿って測定される、請求項１記載の光音響パネル。
【請求項４】
請求項１を参照する際には、前記微細有孔フォイルの前記サブミリメートルの孔部の径が前記微細有孔フォイルの厚さから１５％のずれの区間の範囲内である値を有し、請求項２を参照する際には、前記微細有孔フォイルの前記サブミリメートルの孔部の径が前記微細有孔フォイルの厚さから１５％のずれの区間の範囲内である値を有し、前記他の微細有孔フォイルの前記サブミリメートルの孔部の径が、前記他の微細有孔フォイルの厚さから１５％のずれの区間の範囲内である値を有する、請求項１又は２記載の光音響パネル。
【請求項５】
請求項１を参照する際には、前記微細有孔フォイルの総面積と前記微細有孔フォイルのサブミリメートルの孔部の面積との比が０．１よりも小さく、請求項２を参照する際には、前記微細有孔フォイルの総面積と前記微細有孔フォイルのサブミリメートルの孔部の面積との比が０．１よりも小さく、前記他の微細有孔フォイルの総面積と前記他の微細有孔フォイルのサブミリメートルの孔部の面積との他の比が０．１よりも小さい、請求項１又は２記載の光音響パネル。
【請求項６】
前記光透過セルの前記壁部の第１の部分が、６０度よりも大きい光放射角度において実質的に青色の光の放射を得るために、当該光音響パネルの前記第２の側から特定の距離に沿って当該光音響パネルの前記第１の側に向かう領域において所定のスペクトル範囲で反射性又は透過性であり、前記光放射角度は、当該光音響パネルの前記第１の側の法線に対して測定され、前記壁部の第２の部分は透明であり、この第２の部分が前記第１の部分とは異なる、請求項１記載の光音響パネル。
【請求項７】
前記光透過セルがラスタ構造で配置され、前記壁部の厚さが前記ラスタ構造のピッチの１／３よりも小さく、前記ラスタ構造のピッチは光透過チャネルの中心点から隣接する光透過チャネルの中心点までの最短距離により定義され、前記壁部の前記厚さは、前記光透過チャネルに面している前記壁部の面から隣接する光透過チャネルに面している前記壁部の他の面までの最短距離として定義される、請求項１記載の光音響パネル。
【請求項８】
前記光学的間隔保持構造体が、細長い層の伸ばされた積層体を有し、連続する層のペアが複数の箇所で接合され、連続する層の連続するペアが異なる箇所で接合されており、前記層は前記光透過チャネルの壁部を形成し、前記光透過チャネルが、前記細長い層の伸ばされた積層体の２つの前記連続する層の間の空間により形成された、請求項１記載の光音響パネル。
【請求項９】
前記光透過チャネルに面した前記壁部の面が、所定のスペクトル範囲において拡散反射する、請求項１記載の光音響パネル。
【請求項１０】
前記壁部が所定のスペクトル範囲において光を透過する、請求項１記載の光音響パネル。
【請求項１１】
前記光透過チャネルの径と前記光透過チャネルの長さとの比が３．４よりも小さい、請求項１記載の光音響パネル。
【請求項１２】
請求項１記載の光音響パネルを有する照明器具であって、前記光音響パネルが当該照明器具に連結され、前記光音響パネルの前記第２の側が当該照明器具に対向している、当該照明器具。
【請求項１３】
前記光音響パネルの前記第１の側と前記空洞部を閉じる当該照明器具の面との最短距離が、１から１０センチメートルまでの範囲内にある、請求項１２記載の照明器具。
【発明の詳細な説明】
【技術分野】
【０００１】
本発明は、光音響（optical acoustic）パネルの分野に関する。
【背景技術】
【０００２】
微細有孔フォイル（micro perforated foil）は、特定の音響パネルに用いられている。微細有孔フォイルが該微細有孔フォイルの背後の空間と組み合わせて用いられると、音響パネルは、ヘルムホルツ共鳴吸音に基づく吸音効果を与える。そのような音響パネルは、例えば、Acta Acustica united with Acustica, Volume 92,No 1,Jan 2006,pp 13-146に掲載されているHelmut V.Fuchs、Xueqin Zhaによる「Micro-Perforated Structures as Sound Absorbers - A review and Outlook」において説明されている。微細有孔フォイルは、複数のかなり小さい孔が設けられたフォイルである。２つの微細有孔フォイルが用いられる場合、２つのフォイルは間隔保持構造体（spacing structure）により互いに離されていなければならない。上記間隔保持構造体は、微細有孔フォイル間に空隙を与えるように配されている。かなり大きい領域に沿って延在する間隔保持構造体をこの間隔保持構造体の両側の２つの微細有孔フォイルと組み合わせることによってかなり大きいパネルが作成され得る。微細有孔フォイルが透明又は半透明であり、間隔保持構造体が光を遮らない場合、光は音響パネルを通して伝送され、光音響パネルをもたらす。光音響パネルは、音が吸収され、発光体により発せられる光又は窓を介して受け取られる光が光音響パネルにより遮られないように室内又はかなり大きいオープンスペース中の任意の場所に与えられ得る。
【発明の概要】
【発明が解決しようとする課題】
【０００３】
上記既知の光音響パネルは、かなり良好な音の吸収を与え、かなり良好な光の透過を与えるが、光音響パネルが与えられた空間にいる人は、光音響パネルが存在しない状況と比較して主に光音響パネルの音響特性から恩恵を受ける。光音響パネルの音響特性は、限られた範囲内で空間の照明状態に影響を及ぼす。
【０００４】
特に、光音響パネルが与えられた空間が、昼光（daylight）が受け入れられる窓を含んでいない場合、その空間に頻繁にいる人々の快適さ（well-being）は、該空間の照明状態により良い影響を及ぼされない。上記空間を利用可能な人が昼光が窓又は天窓を介して受け入れられる状態に匹敵する照明状態のような空間の照明状態を経験するように照明状態に影響を及ぼす手段が必要である。
【０００５】
本発明の目的は、或る空間で音を吸収し、該空間の照明状態に影響を及ぼすことにより空間に存在する人々の快適さに良い影響を及ぼす光音響パネルを提供することにある。
【課題を解決するための手段】
【０００６】
本発明の第１の観点は、光音響パネルを提供する。本発明の第２の観点は、照明器具を提供する。有利な形態は、従属請求項において定義されている。
【０００７】
本発明の第１の観点に係る音を吸収し、昼光の見かけ（appearance）を与える光音響パネルは、第１の側、第２の側、微細有孔フォイル及び間隔保持構造体を有している。上記第１の側は音を受け取る。上記第２の側は、第１の側と反対側であり、光を受け取る。上記微細有孔フォイルは、サブミリメートルの孔部を有しており、光を透過し、第１の側に配されている。サブミリメートルの孔部は、空洞部の入口孔部である。上記間隔保持構造体は、第１の側を第２の側から所定の距離で間隔をあけて配置する。この間隔保持構造体は、複数の光透過セルを有している。光透過セルは、光透過チャネル、光入力窓、光出力窓及び壁部を有している。上記光透過チャネルは、光音響パネルの第２の側において受け取った光の一部を平行光にする。この光透過チャネルは、第１の側から第２の側に向かって伸びており、空気で満たされている。上記光入力窓は、光音響パネルの第２の側に配されている。上記光出力窓の少なくとも一部は、光音響パネルの第１の側に配されている。上記壁部は、光入力窓と光出力窓の一部との間に介在している。この壁部は、光透過チャネルを閉じるものである。壁部の少なくとも一部は、光音響パネルの第１の側の法線に対して相対的に大きい光放射角度で青色光の放射を得る所定のスペクトル範囲において反射性又は透過性である。
【０００８】
この光音響パネルの吸音特性は、ヘルムホルツ共鳴吸音に基づいている。ミリメートル未満の範囲の径を持つかなり小さい孔部を通って伝達され、特定の深さの空洞部に入る音は、大部分は光音響パネルにより反射されず、よって吸収される。光音響パネルは、ミリメートル未満の範囲の孔部を有する微細有孔フォイルを第１の側に備え、特定の深さの空洞部を備えている。すなわち、周囲の環境から第１の側に向かう方向に見て、空洞部は微細有孔フォイルの背後にあり、間隔保持構造体により規定される最小深さを有する。空洞部の深さは、光音響パネルの吸音特性に影響を及ぼす。光透過チャネルは、第１の側から第２の側に伸び、空気で満たされており、よって、上記空洞部の特定の深さを制限しない。間隔保持構造体は、音響的に中立である。間隔保持構造体は、第１の側と第２の側との最小距離を保つため及び光音響パネルに機械的強度を与えるために与えられている。
【０００９】
上記間隔保持構造体は、更に、光学的機能を有している。間隔保持構造体は、第２の側において受け取られる光放射の分布を昼光の見かけの光の放射に変化させる特定の構成を有している。青色反射性又は青色透過性である光透過セルの壁部の部分は、（第１の側の法線に対して）かなり大きい光放射角度において受け取られる光を青みを帯びた光に変換する。壁部の特定の特徴に依存する青色光の放射は、少なくともかなり大きい光放射角度において発せられ、より小さい光放射角度ででも存在し得る。更に、かなり大きい光放射角度における青色光の放射のために、（光音響パネルの第１の側に対して測定される）かなり大きい観察角度をもたらす方向から光音響パネルの第１の側の方を見ている人は、青色光を発しているパネルを見る。昼光は、青色スペクトル範囲にかなり大量のエネルギーを有している。人が直接太陽の方を向いていない場合、昼光の青色光のほとんどは太陽から直接生じる光と同じ方向に発せられないので、空は青く見える。また、上記光透過チャネルは、チャネルを通る妨げられていない直線に沿った経路に従う光が光音響パネルの第２の側において受け取られる光と同じスペクトルの光放射分布で伝達されるチャネルである。従って、光音響パネルの第２の側において受け取られる放射は、より小さい角度の光放射の分布で平行光にされる。特に、実質的に白色の光が第２の側において受け取られる場合、平行光ビームは、直射日光の見かけに匹敵する白色光を有する。
【００１０】
第１の側に与えられた微細有孔フォイルは、光を透過し、これは、微細有孔フォイルに衝突する光が微細有孔フォイルを通って伝達されることを意味する。よって、微細有孔フォイルは、かなり大きい光放射角度の青みを帯びた光及び平行光を伝達する。微細有孔フォイルが光を拡散及び／又は散乱する場合、微細有孔フォイルは、平行光ビームが広幅になりすぎること及びあまりにも多くの青みを帯びた光がかなり小さい放射角度で発せられることを防止するために、限られた範囲内で光を拡散及び散乱するべきである。微細有孔フォイルが光を拡散及び／又は散乱する場合、平行光ビームのＦＷＨＭ角度は２０度よりも大きく増大されるべきではない。
【００１１】
その結果、音は光音響パネルの第１の側において吸収され、少なくともかなり大きい光放射角度において青色光を有し、平行光ビーム内に白色光を有する光が、光透過微細有孔フォイルを通って発せられる。そのような光の放射は、晴天の日の昼光として人々により経験され、従って、光音響パネルは受け取った光を人工的な昼光に変換する。部屋の壁部又は天井における光音響パネルの提供は、部屋にいる人のために各壁部又は天井において大きい窓又は天窓が利用可能であるという考えを作り出す。その結果、室内における人々の快適さが改善される。人々が建物の中で昼光を受け取ると、彼らの快適さは増し、効率及び生産性も向上することが、種々の研究において証明された。
【００１２】
上記光音響パネルは光源の前方に直接与えられてもよく、これは、光音響パネルが光源及び空洞部を閉じる照明器具の面を有する照明器具に結合され得ることを意味することに注意されたい。そのような状況では、光音響パネルのサイズは、ほぼ確実に照明器具のサイズにより決定される。他のオプションの形態では、光音響パネルが２つ以上の光源から幾らか離れて又は天窓若しくは窓から幾らか離れて配される。光音響パネルが照明器具と直接接していない場合、光透過板又は他の微細有孔フォイルが光音響パネルの第２の側において空洞部を閉じなければならない。そのような装置では、光音響パネルのサイズがかなり大きくされ、かなり大きいパネルのためにより良好な昼光の経験をもたらす。
【００１３】
上記孔部は、径が１ミリメートルよりも小さいことを意味するサブミリメートルの範囲の大きさを有している。孔部の大きさがこの範囲にあると、音の吸収は、かなり広いスペクトルにおいてかなり高い。比較のために、より大きい孔部が用いられる場合には、吸収の分布は特定の周波数の周りにかなり狭いピークを示す。
【００１４】
音響的観点から見て、光透過セルは、専ら音が共鳴する空洞部の機能を与える。主に（第１の側から空洞部を閉じる面への方向において測定される）空洞部の深さが、光音響パネルの吸収特性に影響を及ぼす。音響的観点から見て、空洞部の径は光音響パネルの吸収効果に関連しないので、単一の光透過セルが微細有孔フォイルの１つ以上のサブミリメートル孔部の背後に設けられ得る。他の観点が、光透過チャネルの径及び／又は光透過チャネル間の壁部の厚さを決定する。
【００１５】
機械的観点から見て、上記間隔保持構造体は、光音響パネルの（剛性）本体部であり、光音響パネルに機械的強度を与える。特に、光透過セルの径が広くなりすぎる又は光透過セルの壁部が薄くなりすぎると、間隔保持構造体の機械的強度が非常に低下し、それにより光音響パネルのサイズを制限する。
【００１６】
光学的観点から、光透過チャネルの径と光透過チャネルの長さとの比が、光音響パネルの第２の側において受け取られる光のコリメーションの量及び主に青色光が発せられる光放射角度の範囲を決定する。
【００１７】
オプションで、上記光音響パネルは、サブミリメートル孔部を有する他の微細有孔フォイルを有している。この他の微細有孔フォイルは、光を透過し、第２の側に配される。すなわち、他の微細有孔フォイルは、第１の側と空洞部を閉じる面との間の空洞部を閉じる面を伴う閉鎖手段である。間隔保持構造体は、光音響パネルに用いられる２つの微細有孔フォイル間の所定の距離を保持する。第２の側もそのような微細有孔フォイルを備えていると、（第２の側に空洞部を閉じるためにプレート又はフォイルが用いられる状況と比較して）光音響パネルの吸音特性が向上することが分かった。上記他の微細有孔フォイルは光音響パネルの光受信側に設けられるので、他の微細有孔フォイルの拡散性の程度に関する制限は存在しない。
【００１８】
オプションで、上記第１の側に垂直なラインに沿って測定される第１の側と空洞部を閉じる面との距離は、１ないし１０センチメートルの範囲内にある。空洞部の深さが１から１０センチメートルまでの範囲内の値を有すると、音の吸収がかなり良好であることが分かった。空洞部を閉じる面は、光音響パネルの第２の側又はその近くに配されている。光音響パネルの第２の側と空洞部を閉じる面との更なる距離が存在し得るが、この追加の距離を加えた光透過チャネルの長さが、１から１０センチメートルまでの範囲内にあるべきである。
【００１９】
オプションで、上記微細有孔フォイルのサブミリメートル孔部の径が微細有孔フォイルの厚さから１５％のずれの区間の範囲内である値を有する、及び／又は、上記他の微細有孔フォイルのサブミリメートル孔部の径が他の微細有孔フォイルの厚さから１５％のずれの区間の範囲内である値を有する。１５％のずれの区間を持つ値を有することは、径の値がフォイルの厚さから（上方及び下方に）１５％外れてもよいことを意味する。サブミリメートル孔部の径が微細有孔フォイルの厚さとほぼ同じ値であると、音の吸収がかなり良好であることが分かった。
【００２０】
オプションで、上記微細有孔フォイルの総面積と微細有孔フォイルのサブミリメートル孔部の面積との比が０．１よりも小さく、上記他の微細有孔フォイルの総面積と他の微細有孔フォイルのサブミリメートル孔部の面積との他の比が０．１よりも小さい。すなわち、（他の）微細有孔フォイルの面のせいぜい１０％が孔部である。これは、微細有孔フォイルの機械的強度と光音響パネルの音響特性（音の吸収）との間の有利なトレードオフを与える。
【００２１】
オプションで、上記光透過セルの壁部の第１の部分は、６０度よりも大きい光放射角度において実質的に青色の光の放射を得るために、光音響パネルの第２の側から特定の距離に沿って光音響パネルの第１の側に向かう領域において所定のスペクトル範囲で反射性又は透過性である。光放射角度は、光音響パネルの第１の側の法線に対して測定される。壁部の第２の部分は透明である。第２の部分は第１の部分とは異なる。従って、第２の側から第１の側に向かう方向に見て、壁部は、最初は青色反射性又は青色透過性であり、その後透明である。壁部は、青色の塗料により青色反射性にされ得る。壁部は、透明な壁部を備えた光透過セルと連続して青色を透過する壁部を備えた光透過セルを配することにより青色透過性にされ得る。この装置の効果は、かなり大きい光放出角度において青色光のみが発せられることであり、これは、光透過側の光入力窓により受け取られる光よりも少ないグレア光（glary light）としてユーザによって経験される。従って、光音響パネルが例えばオフィスの天井に用いられると、白色光の快適な光ビームにより机が照らされ、光音響パネルの方を見る人は、まるで青空であるかのように青色光放射面を見る（人々は光源／照明器具に対してたいてい６０度よりも大きい角度で見る。）。
【００２２】
オプションで、上記光透過セルはラスタ（raster）構造で配置され、壁部の厚さはラスタ構造のピッチの１／３よりも小さい。ラスタ構造のピッチは光透過チャネルの中心点から隣接する光透過チャネルの中心点までの最短距離により定義され、壁部の厚さは、光透過チャネルに面している壁部の面から隣接する光透過チャネルに面している壁部の他の面までの最短距離として定義される。光透過セルの光入力窓の側における壁部の縁部は、第２の側において受け取られる光の一部を遮断する。上記縁部に衝突する光は、光透過セルの光透過チャネルに伝達されず、よって、光吸収セルの光出力窓を通って発せられない。これは、光音響パネルの非効率性の一因となる。壁部の厚さとラスタ構造のピッチとの比を１／３よりも小さく保つことにより、非効率性が許容可能な限度内に保たれる。更に、（光音響パネルの第１の側における）他の縁部が見る人の目に見える。よって、許容可能な制限内で壁部の厚さを保持することは重要である。
【００２３】
オプションで、壁部の厚さは、ラスタ構造のピッチの１／５よりも小さい。これは、より高い効率及びより良好な天窓の見かけをもたらす。他のオプションでは、壁部の厚さは、ラスタ構造のピッチの１／１０よりも小さく、これは更に良好な有利な効果をもたらす。
【００２４】
オプションで、上記光学的間隔保持構造体は、細長い層の伸ばされた積層体を有している。連続する層のペアが複数の箇所で接合されている。連続する層の連続するペアが異なる箇所で接合されている。上記層は光透過チャネルの壁部を形成する。光透過チャネルは、細長い層の伸ばされた積層体の２つの連続する層の間の空間により形成される。各点（point-wise）の層の接合は、接着により行われ得る。そのような間隔保持構造体は、非常に効率的に製造され得る。青色材料の細長いストライプは、連続する層の連続するペアの接着点が細長い層に従う方向において異なるように連続的に接着され、接着後、細長い層の積層体は、間隔保持構造体を得るために伸ばされる。更に、そのような構造は効率的に製造され得ることに加えて、オプションの特徴は間隔保持構造体の分配及び保管における更なる利益をもたらす。すなわち、層を接着した直後に積層体を伸ばす必要がない。これは、微細有孔フォイルが間隔保持構造体の第１の側に配される直前にも行われ得る。従って、層の接着後、積層体は最もコンパクトな形で保管又は分配される。
【００２５】
オプションで、上記光透過チャネルに面した前記壁部の面は、所定のスペクトル範囲において拡散反射する。そのような壁部は、光透過チャネルへ戻り壁部に衝突する光を反射し、壁が青色なので、青色光は後方反射する。この反射光の大部分は、直接又は１回以上の更なる反射の後、光出力窓を介して光透過チャネルを出る。更に、壁部の拡散反射する側は、青みを帯びた光の光放射角度の有利な広がりをもたらす。この特性を有する壁部は、大きい材料のセットにより製造され得る。適切な２つの考えられる例は、青色塗料を伴うプラスチック又は青色反射性若しくは青色拡散反射性のコーティング剤が塗布された金属である。
【００２６】
オプションで、上記壁部は、所定のスペクトル範囲において光を透過する。光が壁部に衝突し、（青色の）壁部を透過する場合、かなり大きい光出力角度での光学素子の光出力は、光を透過する壁部を通った光を有しており、その結果、より青色（より飽和した青）である。よって、これは、昼光の見かけに寄与する。青色に透明な合成材料のような幾つかの材料が用いられ得る。複数の光透過セルがラスタ構造で配置される場合及びユーザが青色光を透過する壁部を備えた間隔保持構造体を有する光音響パネルの方を見る場合、青みを帯びた光が、より大きい視野角でより（飽和した）青色になる。光は、光入力窓の垂直軸に対してかなり大きい光放出角度で壁部に衝突し、連続する光透過セルの幾つかの青色光を透過する壁部を通って一度よりも多く伝達され、よって、そのような壁部のどの通路においても青色が強められる。この効果は、光音響パネルの快適な昼光の見かけとしてユーザによって経験される。
【００２７】
オプションで、上記光透過チャネルの径と光透過チャネルの長さとの比は３．４よりも小さい。光透過チャネルの径は、光出力窓と平行な仮想面に沿った壁部の或る箇所から壁部の他の箇所までの光透過チャネルの中心点を通る全ての考えられる仮想直線の長さの平均として定義される。グレアが多すぎることを防止するために、それほど多くの光が６０度よりも大きい光放射角度で発せられるべきではない（例えば、１平方メートル当たり１０００ニト又はカンデラ未満）。上記比が３．４よりも大きいと、光透過セルの光出力窓の中心において発せられる光が６０度でカットオフ角を有する。カットオフ角は、７４度に向かって徐々に大きくなる。従って、グレアは防止される。かなり大きい光放射角度における光の放射は、光音響パネルの第２の側において受け取られる光の特性にも依存することに注意されたい。受け取った光がかなり大きい光放射角度において少量の光のみを有する場合、それほど多くの光が壁部に向くわけではない。受け取った光がかなり大きい光放射角度において相当量のエネルギーを有する場合、壁部は、相対的に見て非常に多くの光を反射する。完璧を期すために、依然として青色光は６０度よりも大きい光放出角度において発せられるが、青色光はグレアの少ない光であることに注意されたい。
【００２８】
本発明の第２の観点によれば、本発明の第１の観点に係る光音響パネルを有する照明器具が提供される。上記光音響パネルは照明器具に連結され、光音響パネルの第２の側は照明器具に対向している。照明器具の一面は、空洞部を閉じている。本発明の第２の観点に係る照明器具は、本発明の第１の観点に係る光音響パネルと同じ利点を与え、光音響パネルの対応する形態と同様の効果を持つ形態を有している。
【００２９】
オプションで、上記光音響パネルの第１の側と空洞部を閉じる照明器具の面との最短距離は、１から１０センチメートルまでの範囲内にある。第１の側に配された微細有孔フォイルと空洞部を閉じる照明器具の面との距離が１から１０センチメートルまでの範囲内にある場合、音の吸収が有利である。このオプションの特定の距離は、空洞部の深さである。オプションで、上記光音響パネルの第１の側に配された微細有孔フォイルは、空洞部を閉じる照明器具の面に平行に配される。
【００３０】
一形態では、音を吸収し、昼光の見かけを与える光音響パネルが与えられる。この光音響パネルは、（ｉ）音を受け取る第１の側と、（ｉｉ）光を受け取る第２の側であって、第１の側と反対側であり、第１の側と空洞部を閉じる面との間の空洞部を閉じる面を有する手段に結合するように構成された当該第２の側と、（ｉｉｉ）サブミリメートルの孔部を有し、透明であり、第１の側に配された微細有孔フォイルと、（ｉｖ）第１の側を第２の側から所定の距離で間隔をあけて配置するための間隔保持構造体とを有しており、間隔保持構造体が複数の光透過セルを有し、光透過セルは、（ａ）光音響パネルの第２の側において受け取られる光の一部を平行光にし、第１の側から第２の側に向かって伸びており、空気で満たされた光透過チャネルと、（ｂ）光音響パネルの第２の側に配された光入力窓と、（ｃ）少なくとも一部が光音響パネルの第１の側に配された光出力窓と、（ｄ）光入力窓と光出力窓の上記一部との間に介在し、光透過チャネルを閉じる壁部であって、この壁部の少なくとも一部は、光音響パネルの第１の側の法線に対して相対的に大きい光放射角度において青色光の放射を得る所定のスペクトル範囲において反射性又は透過性である当該壁部とを有している。
【００３１】
本発明のこれらの観点及びその他の観点は、以下に説明する実施形態から明らかであり、以下に説明する実施形態を参照して理解されるであろう。
【００３２】
本発明の上述したオプション、実施及び／又は観点の２つ以上が有用であると考えられる任意のやり方で組み合わせられ得ることは、当業者により理解されるであろう。
【００３３】
システムの説明される修正形態及び変形形態に対応するシステム、方法及び／又はコンピュータプログラム製品の修正形態及び変形形態は、本明細書の説明に基づいて当業者により実行され得る。
【図面の簡単な説明】
【００３４】
【図１ａ】本発明の第１の観点に係る光音響パネルの一実施形態の断面図を模式的に示している。
【図１ｂ】光音響パネルの他の実施形態の断面図を模式的に示している。
【図２】本発明の第１の観点に係る光音響パネルにより得られる効果を断面図で模式的に表している。
【図３】光音響パネルの種々の特徴を光音響パネルの断面図で模式的に表している。
【図４ａ】青色に透明な壁部を備えた光透過セルの一実施形態の断面図を模式的に示している。
【図４ｂ】青色に透明な部分と透明な部分とを有する壁部を備えた光透過セルの他の実施形態の断面図を模式的に示している。
【図５ａ】間隔保持構造体の異なる実施形態の三次元の図を示している。
【図５ｂ】間隔保持構造体の異なる実施形態の三次元の図を示している。
【図６ａ】間隔保持構造体の他の実施形態の断面図を模式的に示している。
【図６ｂ】間隔保持構造体の他の実施形態の断面図を模式的に示している。
【図６ｃ】間隔保持構造体の他の実施形態の断面図を模式的に示している。
【図７】本発明の第２の観点に係る照明器具の一実施形態の断面図を模式的に示している。
【図８】室内で用いられる本発明に係る照明器具を模式的に示している。
【図９】室内で用いられる本発明に係る光音響パネルを模式的に示している。
【００３５】
異なる図において同一の参照符号により示されている要素は、同じ構造的特徴及び同じ機能を有しているか、又は同じ信号であることに注意されたい。そのような要素の機能及び／又は構造が説明されていた場合、詳細な説明においてその説明が繰り返される必要はない。
【００３６】
図面は、単に概略であり、正確な縮尺で描かれてはいない。特に、明確にするために、寸法が大きく誇張されているものもある。
【発明を実施するための形態】
【００３７】
第１の実施形態は、図１ａに示されている。図１ａは、本発明の第１の観点に係る光音響パネル１００の一実施形態の断面図を示している。光音響パネル１００は、間隔保持構造体１０８及び第１の微細有孔フォイル１１０を有している。光音響パネル１００は、光音響パネル１００の第１の側１１４に設けられた第１の微細有孔フォイル１１０を有している。
【００３８】
上記第１の側と反対側の、第１の側と平行に配された第２の側１０４において、光音響パネル１００は、空洞部を閉じる面を有する手段１０２に結合するように構成されており、空洞部は第１の側と空洞部を閉じる面との間に存在している。手段１０２は、模式的に描かれており、光源、照明器具又は透明な板であり得る。手段１０２の特定の面、例えば、光音響パネル１００の第２の側１０４に直接的に与えられる面は、空洞部を閉じているが、この手段は、第２の側１０４に直接的に結合されている面を有していない場合には、第２の側１０４と手段１０２の裏側との間に配される他の（内側）面であってもよい。他の図では、この空洞部を閉じる面は明確に示されている。
【００３９】
間隔保持構造体１０８は複数の光透過セル１０６を有しており、光透過セル１０６は光透過チャネル１１８、光入力窓１２０及び光出力窓１２２を有している。光透過チャネル１１８は、第１の側１１４と第２の側１０４との間に、第１の側１１４に対して垂直に配されている。光透過セル１０６は、更に、光入力窓１２０と光出力窓１２２との間に配された壁部を有しており、従って、光透過チャネル１１８は壁部１１６により囲まれている。光入力窓１２０は、光音響パネル１００の第２の側１０４において受け取られる光を受け取り、受け取った光のスペクトル特性を持つ平行光の放射を得るために受け取った光の一部を平行光にする。光入力窓１２０において受け取られた光の一部は、壁部１１６に衝突する。壁部１１６は、上記第１の側の法線に対してかなり大きい放射角度で青色光の放射を得るために所定のスペクトル範囲内において反射性又は透過性である（光学的及び音響的効果は、図２において更に説明される。）。
【００４０】
音響パネル１００の第１の側１１４には第１の微細有孔フォイル１１０が配されており、第１の微細有孔フォイル１１０は、ミリメートル未満の範囲の径のサブミリメートル孔部１１２を有している。微細有孔フォイル１１０と空洞部を閉じる面との組み合わせは、ヘルムホルツ共鳴吸音体としての機能を果たす。音響パネル１００の第１の側１１４は、サブミリメートル孔部１１２を介して手段１０２の上記面と第１の微細有孔フォイル１１０との間の共鳴を引き起こす空洞部に入る音を受け取る。この音は音響パネル１００により反射されず、従って、音が吸収される。
【００４１】
図１ｂは、光音響パネル１５０の他の実施形態の断面図を示している。光音響パネル１５０は、図１ａの音響パネル１００と同様の間隔保持構造体１０８及び第１の微細有孔フォイル１１０を有している。音響パネル１５０の第２の側１０４には、空洞部を閉じる第２の微細有孔フォイル１５４が配されている。空洞部は、第１の微細有孔フォイル１１０から第２の微細有孔フォイル１５４に広がっている。第２の微細有孔フォイル１５４もまた、ミリメートル未満の範囲の径を持つサブミリメートル孔部を有している。第１の微細有孔フォイル１１０及び第２の微細有孔フォイル１５４の各サブミリメートル孔部１１２、１５２のサイズは、必ずしも同じではない。また、第１の微細有孔フォイル１１０及び第２の微細有孔フォイル１５４に沿った各サブミリメートル孔部１１２、１５２の分布は、必ずしも同じではない。更に、図１ａ及び図１ｂは、第１の微細有孔フォイル１１０及び第２の微細有孔フォイル１５４のそれぞれの２つのサブミリメートル孔部１１２、１５２が同じ光透過チャネル１１８の前方に配されていることを示している。しかしながら、他の実施形態では、光透過チャネル１１８当たりのサブミリメートル孔部の数が異なっていてもよい。更に他の実施形態では、特定の光透過チャネル１１８の前方に配されている第１の微細有孔フォイル１１０のサブミリメートル孔部１１２の数が、特定の光透過チャネル１１８の前方に配されている第２の微細有孔フォイル１５４のサブミリメートル孔部１５２の数と異なっていてもよい。
【００４２】
図１ｂの実施形態に係る光音響パネル１５０は、図１ａの光音響パネル１００よりも音をよく吸収することが分かった。また、図１ｂの光音響パネル１５０の第２の側１０４により受け取られる音も吸収される。
【００４３】
第１の微細有孔フォイル１１０及び第２の微細有孔フォイル１５４は、図１ａ及び図１ｂでは太い黒線として描かれている。しかしながら、各図における黒の使用は、第１の微細有孔フォイル１１０及び第２の微細有孔フォイル１５４が不透明であることを意味してはいない。第１及び第２の微細有孔フォイル１１０、１５４の両方は、透明であり、第１及び第２の微細有孔フォイル１１０、１５４を通る光の透過を許可する。第１の微細有孔フォイル１１０及び第２の微細有孔フォイル１５４は、サブミリメートル孔部をより明確に示すために黒い太線として描かれている。
【００４４】
壁部１１６は、青色光の放射が壁部１１６により反射されるような所定の範囲の光を反射する面を有している。他の実施形態では、壁部は所定のスペクトル範囲において透過性である。壁部が所定のスペクトル範囲において透過性である場合、壁部を透過する光は、壁部を透過した後、青色を有している。青色光の放射又は青色光手段は、光のスペクトルエネルギーが青色スペクトル範囲に集中することを意味し、これは、光のエネルギーの５０％よりも多くが４２０から４８５ｎｍまでの範囲の波長において得られることを意味することに注意されたい。
【００４５】
図２は、本発明の第１の観点に係る光音響パネル１５０により得られる効果を断面図で模式的に表している。与えられている光音響パネル１５０は、図１ｂに関連して説明された光音響パネルである。図２の下側部分には、光透過チャネル１１８の１つの拡大断面図が与えられている。
【００４６】
上記光音響パネルの第２の側１０４において、例えば、光源２０２又は照明器具に関する光が受け取られる。他の実施形態では、昼光が窓から受け取られる。光源２０２の光の放射２０４は、光の放射２０４の中心軸に対して最大光放射角度α１／２を持つ特定の角度の光放射分布を有している。光は、透明な第２の微細有孔フォイル１５４を通って光透過チャネル１１８に伝達される。
【００４７】
図２の下側部分に示されているように、光源２０２は、特定の光の放射２０４を個々に放つ隣接する複数の点光源２０３としてモデル化され得るかなり大きい発光面を有している。光は、第２の微細有孔フォイル１５４を介して光透過チャネル１１８に入る。受け取られる光の一部は、光透過チャネル１１８により平行にされ、光源２０２の光の放射２０４の最大光放射角度α１／２よりも小さい最大光放射角度α２／２を持つ平行光ビーム２１２として光透過チャネル１１８を離れる。特定の色が吸収されず、光の放射２０４は平行光ビーム２１２にされるので、光の放射２１２のスペクトル特性は光の放射２０４のスペクトル特性に等しい。
【００４８】
光透過チャネル１１８により受け取られた光の一部は、光透過セルの壁部１１６に衝突する。光透過チャネル１１８に面した壁部の面２５２は、青色を有しており、拡散反射する。拡散反射は、光線が壁部に衝突した場合に、複数の光放射方向に反射することを意味している。これは、図２の下側部分に示されている。面２５２の各点は、光がそれらに衝突すると、ランバート光源としての機能を果たし、これはランバート光反射と呼ばれている。青色反射光は、光透過チャネル１１８の壁部により一回反射されたすぐ後又は複数回反射された後、第１の微細有孔フォイル１１０を経て光透過チャネル１１８を出る。従って、図２の上側部分に与えられているような或る角度の光分布を持つ青色光の放射２１０が得られる。この角度の光分布は、バットウィング形の角度分布と呼ばれることが多い。中心軸においては、青色光はあまり発せられず、光の放射２１０の中心軸に対してより大きい光放射角度において、より多くの青色光が発せられる。最大光放射角度β／２は、光音響パネル１５０の第２の側１０４において受け取られる光の放射２０４の最大光放射角度α１／２よりも少なくとも大きい。図２の下側部分に示されているように、第１の微細有孔フォイル１１０を通って光透過チャネル１１８を出る光の放射の合計は、相対的に小さい光放射角度２５６における光の放射２０４のスペクトル特性を持つ相対的に大きい量の光を有し、相対的に大きい光放射角度２５４における相対的に大きい量の青色光を有している。
【００４９】
図２の上側部分には、音源２０６から生じる音２０８が光音響パネル１５０の第１の側１１４により受け取られることが更に示されている。上記音は、第１の微細有孔フォイル１１０のサブミリメートル孔部を通って第１の微細有孔フォイル１１０と第２の微細有孔フォイル１５４との間の空洞部に伝達される。ヘルムホルツ共鳴吸音に基づいて、音は上記孔部を通って戻るように伝達されず、従って、光音響パネル１５０により吸収される。光音響パネル１５０の第２の側１０４も、同様に第２の微細有孔フォイル１５４のサブミリメートル孔部を介して吸収される音を受け取る。
【００５０】
図３は、光音響パネルの種々の特徴を光音響パネル１００の断面図で模式的に示している。第１の微細有孔フォイル１１０のサブミリメートル孔部は、孔ピッチｐ２の配列で配されている。微細有孔フォイル１１０はｔｈ２の厚さを有しており、サブミリメートル孔部は孔径ｄ２を有している。一実施形態では、孔径ｄ２は、光音響パネル１００の吸収スペクトルがかなり広いように第１の微細有孔フォイル１１０の厚さｔｈ２と実質的に等しいが、実際の実施形態では、正確に同じサイズを得ることはかなり難しく、１５％のずれが可能とされる。すなわち、ｔｈ２・０．８５≦ｄ２≦ｔｈ２・１．１５である。オプションで、１０％のずれのみが可能とされる。すなわち、ｔｈ２・０．９≦ｄ２≦ｔｈ２・１．１である。孔径ｄ２は、１ミリメートルよりも小さい。
【００５１】
第１の微細有孔フォイル１１０は、総面積Ａを有している。上記孔部は、総面積Ａのうちの面積Ａｈを占めている。一実施形態では、孔部により占められる面積Ａｈと総面積Ａとの比は０．１よりも小さい。
【００５２】
前の２つの段落において説明された特徴と同じ特徴が、図１ｂの光音響パネル１５０の実施形態の第２の微細有孔フォイル１５４の実施形態に当てはまる。
【００５３】
第１の微細有孔フォイル１１０と空洞部を閉じる面３０２との間の空洞部は、或る空洞部深さＬ２を有している。面３０２は、破線として模式的に与えられている。図１ａ及び図１ｂに関連して説明されたように、面３０２は、第２の微細有孔フォイル、光源若しくは照明器具の面又は透明な板若しくはフォイルであり得る。特定の実施形態では、面３０２は、光音響パネル１００の第２の側に直接与えられ、その場合、光透過チャネルの長さＬ１は空洞部の深さに等しい。一実施形態では、１センチメートルから１０センチメートルの範囲内にある空洞部の深さＬ２により有利な吸音効果及び吸音スペクトルが得られる。
【００５４】
光透過セル１０６の壁部１１６は、厚さｔｈ１を有している。光透過セル１０６の光透過チャネル１１８は、径ｄ１を有している。光透過セル１０６は、ピッチｐ１のラスタ構造で配置されている。ピッチｐ１は、或る光透過セルの中心点と隣りの光透過セルの中心点との距離である。各光透過セル１０６は、光音響パネル１００の第１の側から第２の側への方向において測定される長さＬ１を有しており、従って、光透過チャネルもまた長さＬ１を有している。一実施形態では、壁部１１６の厚さｔｈ１は、光透過セルのピッチｐ１の１／３よりも小さい。一実施形態では、透過チャネル１１８の径ｄ１と光透過チャネルの長さＬ１との比は１．７よりも小さい。
【００５５】
図４ａは、青色に透明な壁部４０２を有する光透過セル４００の一実施形態の断面を示している。光透過セル４００の光出力窓に、第１の微細有孔フォイル１１０が与えられている。光透過セル４００の光入力窓において、光源１０２が利用可能である。光源は、図４ａでは、それぞれがかなり広幅の光の放射で白色光を発する点光源により模式的にモデル化されている。光の一部は、平行光にされ、（第１の微細有孔フォイル１１０及び従って光音響パネルの第１の側の法線である）光の放射の中心軸に対して最大光放射角度α３の範囲内で光透過チャネル４００を出る。白色光の光線４０６は、光出力窓を通って発せられる平行光ビームに行き着く。角度α３は、光透過セルの径ｄ１と光透過セルの長さＬ１との比により決定される。一実施形態では、角度α３は、より大きい光放射角度におけるグレア光の放射を防止するために６０度よりも小さく、従って、１．７よりも小さい光透過セルの径ｄ１と光透過セルの長さＬ１との比である。
【００５６】
平行光ビームに至らない光は、青色に透明な壁部４０２に衝突する。その結果、この光は、一部分は青色に透明な壁部４０２を透過し、青色光線４０４をもたらす。青色光線４０４の光放射角度は、光放射角度α３よりも大きい。
【００５７】
図３に戻ると、光音響パネルの特定の実施形態では、光音響パネルは、音響上の理由のために空洞部の深さＬ２がかなり大きい、例えば、８センチメートルであることが必要とされる。光透過チャネルの長さＬ１が空洞部の深さＬ２に等しく、白色光が６０度の最大光放射角度まで発せられるべきである場合、光透過チャネル１１８の径ｄ１と光透過チャネルの長さＬ１との比は１．７でなければならない。従って、特に、間隔保持構造体の光透過セル１０６が光音響パネルに機械的強度を与えなければならない場合、セルの径ｄ１は、かなり大きい１３．６センチメートルでなければならない。例えば６０度の最大光放射角度を持つ白色光の光ビームを平行にすることができるように、図４ｂに示されている解決策が提案される。壁部の特定の取り合わせは、光透過チャネルの径ｄ１が小さくされることを可能にし、一方で、空洞部の深さＬ２は光透過チャネルの径ｄ１と比較してかなり大きい。この壁部は、青色反射性又は青色透過性の上側部分４５４を有している。上側部分４５４は、音響パネルの第２の側に配された壁部の部分である。壁部の下側部分４５６は透明である。下側部分４５６は、音響パネルの第１の側（及び従って第１の微細有孔フォイル１１０が配されている側）に配されている。白色光についての最大光放射角度α４は、光透過チャネル４５０の径ｄ１と上側部分４５４の長さＬ２ａとの比により決定され、下側部分４５６の長さＬ２ｂとは無関係である。従って、空洞部の深さＬ２は、白色光が発せられなければならない最大光放射角度α４とは無関係に選択され得る。図４ｂでは、青色ではない部分は吸収される一方で光線は上側部分４５４を通って進むので、上側部分４５４は青色に透明であると仮定されている。他の実施形態では、上側部分４５４も青色反射性である。
【００５８】
一実施形態では、上記間隔保持構造体は、透明な壁部を有する光透過セルのラスタで作られており、図４ｂに与えられている実施形態に係る壁部を有する間隔保持構造体を作り出すために距離Ｌ２ａに沿って青色の塗料に浸漬されている。この塗料は、青色拡散反射性の上側部分４５４を作成する艶消し塗料であり得る。この塗料は、また、青色透過性の上側部分が得られるように上側部分４５４に青色に透明なコーティングをもたらす特定の材料より成っていてもよい。
【００５９】
代替の実施形態（図示せず）では、光透過セルの内部に更なる機械的支持を与える透明構造体を与えることにより光音響パネルの剛性が大きくされる。吸音効果が妨げられないように、上記透明構造体は空洞部の深さ（Ｌ１又はＬ２）を制限すべきではない。従って、光透過セルの内部に与えられる（色を有していない）追加の透明な壁部は、光音響パネルの光学的又は音響的挙動を変化させることなく機械的な利点を与える。
【００６０】
図５ａは、アレイ状に複数の光透過セル５０２を有する間隔保持構造体５００の一実施形態を表している。光透過セル５０２の断面の形状は、正方形である。更に、光透過セル５０２の壁部は、青色であり、合成青色材料から成っていてもよい。光学素子５００は、射出成形プロセスにより製造され得る。ピッチｐ１のような前に説明されたラスタ及び光透過セル５０２のパラメータ、壁部の厚さｔｈ１並びに光透過チャネルの長さＬ１も示されている。
【００６１】
間隔保持構造体５００の壁部は、透明であっても、反射性であっても又は拡散反射性であってもよいことに注意されたい。壁部が透明であれば、（間隔保持構造体５００を有する光音響素子の第１の側の法線に対して定義される）より大きい視野角における光線が複数の連続する壁部を透過し、各壁部において青色が強められるので、見る人はより大きい視野角でより暗い青色を見る。
【００６２】
図５ｂは、ラスタ構造内に複数の光透過セル５５２を有する他の間隔保持構造体５５０の一実施形態を表している。光透過セル５５２の断面の形状は、六角形である。更に、光透過セル５５２の壁部は、青色であり、合成青色材料から成っていてもよい。光学素子５５０は、射出成形プロセスにより製造され得る。ピッチｐ１のような前に説明されたラスタ及び光透過セル５５２のパラメータ、壁部の厚さｔｈ１並びに光透過セル５５２の長さＬ１も示されている。
【００６３】
代替の実施形態（図示せず）では、壁部の面の幾つかは、間隔保持構造体５５０を有する光音響パネルの方を見る人に画像を与えるために青色とは異なる他の色を有している。言い換えれば、複数のセル５５２のうちの幾つかのセルは、他の色の壁部を有している。例えば、間隔保持構造体５５０を有する光音響パネルに向かって６０度の角度で見る観察者は、主にセル５５２の壁部を見て、かなり大きい視野角のために光源からのいかなる直接光も受け取らない。従って、見る人は、異なる色のセルの異なる色を見て、画像としてそれらの組み合わせを経験する。この画像は、例えば、非常口を示す緊急標識であり、また、天窓の見かけをよくする空の雲の画像であってもよい。
【００６４】
代替の実施形態（図示せず）では、壁部は、例えば、光入力窓近くの白から光出力窓における青への色の勾配を有している。これは、見る人がより大きい視野角で光音響素子の方を見る時により飽和した青色への滑らかな移行を作り出す。
【００６５】
図６ａないし図６ｃは、間隔保持構造体６００、６３０、６６０の３つの他の実施形態の断面図を模式的に示している。与えられている断面図は、光音響パネルの第１の側に平行な面に沿ったものである。図６ａの間隔保持構造体６００は、複数の光透過セル６０２、６０４を有している。間隔保持構造体６００は、青色の管の部分を接着剤でくっつけることにより製造され得る。上記管の部分の内側の空間は、円形状の光透過セル６０２になり、青色の管の隣接する３つの部分の間の空間が他の形状の光透過セル６０４になる。３つの隣接する部分の間の空間は、光が該空間を通って伝達されることを防ぐ材料で満たされていてもよい。断面で見て他の形状を有する管の部分が用いられる場合、同様の間隔保持構造体が得られる。
【００６６】
図６ｂは、複数の光透過セルを有する間隔保持構造体６３０の更なる実施形態の他の断面図を表している。間隔保持構造体６３０は、青色合成材料の板６３２に孔をあけることにより製造され得る。上記孔は、光透過チャネル６３４を形成する。
【００６７】
図６ｃは、ラスタ構造内に複数の光透過チャネル６７４を有する間隔保持構造体６６０の更に他の実施形態の更なる断面図を表している。間隔保持構造体６６０は、青色層６６０、６６２、６６４、６６６、６６８の積層から製造され得る。青色層６６０、６６２、６６４、６６６、６６８は、透明又は拡散反射性であり得る。間隔保持構造体６６０は、第１の青色層６６０で始め、その上に第２の青色層６６２が配されることにより製造される。第１の青色層６６０及び第２の青色層６６２は、例えば、参照符号６７０で表示されている場所に示されているように局所的に接着剤でくっつけられる。その後、第３の青色層６６４が第１及び第２の青色層６６０、６６２の上に配される。第３の青色層６６４は、第１の青色層６６０と第２の青色層６６２とが接着剤でくっつけられた箇所とは異なる特定の箇所で第２の青色層６６２に局所的に接着される。そのような異なる場所は、例えば、参照符号６７２で示されている。これが、続く層６６６、６６８で繰り返される。連続する層を接着剤でくっつけた後、図６ｃの構造体を得るために層の積層体が伸ばされる。伸ばす行為は、連続する層を接着する行為が行われる時とは別の時に行われてもよく、伸ばされていない積層体の中間生成物はかなり小さい堆積を有し、効率的に保管され得ることに注意されたい。
【００６８】
図７は、本発明の第２の観点に係る照明器具７００の一実施形態の断面図を模式的に示している。与えられている断面図は、照明器具７００の発光面に垂直な面に沿ったものである。照明器具７００は、空洞部を閉じる筐体７０２を有している。筐体７０２のバックパネル７０６上の空洞部内に複数の光源７０４が与えられている。光源７０４は、発光ダイオード（ＬＥＤ）、有機ＬＥＤ、通常の白熱灯又は蛍光灯であり得る。光源７０４により発せられる光２０４は、筐体７０２の光出力窓の位置に与えられている光音響パネル１００に方へ発せられる。光音響パネル１００は、図１の光音響パネル１００と同様であり、間隔保持構造体０１８及び微細有孔フォイル１１０を有している。間隔保持構造体は、青色反射性の壁部１１６の間に光透過チャネル１１８を有する複数の光透過セル１０６を有している。微細有孔フォイル１１０は、サブミリメートル孔部を有している。光源７０４は、光ビーム２０４の中心軸に対して最大光放射角度α１／２を有するかなり広幅の光ビーム２０４で光を発する。光透過チャネル１１８は、光源７０４により発せられる光の一部を光ビーム２１２に中心軸に対して最大光放射角度α２／２を有し、α２＜α１である平行光ビーム２１２にする。光透過チャネル１１８の壁部１１６は、青を拡散反射し、光源７０４からの光の他の部分は、壁部１１６に衝突し、バットウィング形の光放射角度分布を持つ青色光の放射２１０が微細有孔フォイル１１０を通って発せられるように反射する。青色光の放射２１０の最大光放射角度β／２は、かなり大きく、少なくともα２／２よりも大きく、α１／２よりも大きい。微細有孔フォイル１１０に衝突する音源２０６の音２０８は、光音響パネル１００及び照明器具７００の組み合わせにより吸収される。音は、照明器具７００の筐体７０２のバックパネル７０６と微細有孔フォイル１１０との間の空洞部内のサブミリメートル孔部を通って進み、サブミリメートル孔部を介して周囲の環境に再び送られはしない。従って、音は、光音響パネル１００及び照明器具７００の組み合わせにより吸収される。バックパネル７０６から微細有孔フォイル１１０までの最短距離である空洞部の深さは、値Ｌ２を有し、１から１０センチメートルまでの範囲内の値である。特定の実施形態では、上記深さは、５から１０センチメートルまでの範囲内にあり、例えば８センチメートルである。空洞部がそのような深さＬ２を有する場合、音の吸収は有利である。深さは、例えば、吸収スペクトルに影響を及ぼし、オフィス環境では、例えば、（例えば、人間が互いに話している際に）人間により作られる音のスペクトル範囲の吸収スペクトルを有することが有利である。空洞部の深さが１から１０センチメートルまでの範囲内の値を有すると、人々の音がよく吸収される。
【００６９】
図８は、部屋８００において用いられる照明器具８０６を模式的に示している。図８には、部屋８００の三次元の図が模式的に与えられている。部屋８００の天井８０４に照明器具８０６が設けられている。照明器具８０６は、例えば、図７の照明器具７００の設計に基づいている。この照明器具は、部屋８００の床８１０に或る占有領域８１２を有する平行光ビーム８０８において実質的に白色の光を発する。照明器具８０６の光放射面の法線に対してかなり大きい光放射角度で青色光８０２が発せられる。その結果、人が部屋８００の中で平行光ビーム８０８の外側に存在し、照明器具８０６の方を見ると、その人は、まるで晴天の日の青空であるかのように青色光放射面を見る。更に、平行光ビームは、有利な部屋８００の、特に、平行光ビーム８０８内に配された机で仕事をしている人の照明を与える。更に、部屋８００の中で生成される音が照明器具８０６により大部分は吸収される。
【００７０】
図９は、部屋９００の内部の他の三次元の図を模式的に示している。部屋９００の天井８０４は、白色光を発する照明器具９０６、天窓（図示せず）又は、例えば、建物の屋根及び高圧空間（plenum）を通る昼光を送るライトチューブの光出力窓を備えている。光源９０６は、かなり幅広の光ビームの白色光を発する（図示せず）。この光は、光源９０６よりも下方に配されている光音響パネル９０４の裏面に衝突する。光音響パネル９０４は、例えば、ケーブル９０２、バー又は他の適切な懸架手段を用いて天井につるされている。光音響パネル９０４は、図１の光音響パネル１５０の構造を有している。従って、光音響パネル９０４は、天井８０４に平行である光音響パネル９０４の面に微細有孔フォイルを配されている。同じく天井に平行な面であり、部屋９００の床８１０に面している面である光音響パネル９０４の底面には、他の微細有孔フォイルが設けられている。２つの微細有孔フォイルの間には、前に説明された間隔保持構造体の実施形態の１つに係る間隔保持構造体が配されている。
【００７１】
光音響パネル９０４の間隔保持構造体は、受け取った光の一部を白色光の平行光ビーム８０８に平行にし、光音響パネルの底面の法線に対してかなり大きい光放射角度で青色光の放射８０２を生成する。従って、光音響パネル９０４の方を見る人は、（まるで青空であるかのように）青色光放射面を見て、部屋９００に送られる白色光は、部屋９００の効果的で快適な照明を与える。更に、光音響パネル９０４は、部屋９００の中で生成される音のかなりの部分を吸収する。従って、光音響パネル９０４により与えられる照明は、昼光の見かけを与え、音を吸収するので、光音響パネル９０４は部屋９００の中にいる人に良い影響を及ぼす。人々は昼光により良い影響を及ぼされ、音の量が制限されると、人々はより集中することができ、より有効且つ効率的に仕事をすることができる。
【００７２】
上述した実施形態は本発明を限定ではなく説明しており、当業者であれば、添付の特許請求の範囲から逸脱することなく多くの代替の実施形態を作成することができることに注意されたい。
【００７３】
特許請求の範囲において、括弧内に付されたいかなる参照符号もが特許請求の範囲を限定するように解釈されるべきではない。動詞「有する（comprise）」及びその活用形の使用は、特許請求の範囲に述べられている構成要素又はステップ以外の構成要素又はステップの存在を排除するものではない。構成要素の前に付されている冠詞「a」又は「an」は、複数のそのような構成要素の存在を排除するものではない。本発明は、幾つかの個別の構成要素を有するハードウェアにより及び適切にプログラムされたコンピュータにより実現され得る。幾つかの手段を列挙している装置の請求項では、これらの手段の幾つかは、ハードウェアの１つの同じアイテムによって具現化され得る。或る方策が互いに異なる従属請求項に列挙されているという単なる事実は、これらの方策の組み合わせが有利に用いられないことを示してはいない。
【図１ａ】
2015504528.tif 000003
【図１ｂ】
2015504528.tif 000004
【図２】
2015504528.tif 000005
【図３】
2015504528.tif 000006
【図４ａ】
2015504528.tif 000007
【図４ｂ】
2015504528.tif 000008
【図５ａ】
2015504528.tif 000009
【図５ｂ】
2015504528.tif 000010
【図６ａ】
2015504528.tif 000011
【図６ｂ】
2015504528.tif 000012
【図６ｃ】
2015504528.tif 000013
【図７】
2015504528.tif 000014
【図８】
2015504528.tif 000015
【図９】
2015504528.tif 000016
【国際調査報告】
2015504528.tif 000017
2015504528.tif 000018